【事件の表示】
　特許第２９７９０９１号「指針式計測装置」の請求項１に係る特許に対する特許異議の申立てについて、次のとおり決定する。
【結　論】
　訂正を認める。
　特許第２９７９０９１号の請求項１に係る特許を維持する。
【理　由】
１．手続の経緯
　平成　１年　６月１２日　　　特許出願
　平成１１年　９月１７日　　　特許権の設定登録
　平成１２年　５月１５日　　　特許特許異議申立人セイコーエプソン株式　　　　　　　　　　　　　　　会社から特許異議の申立て
　平成１２年１０月２０日　　　取消理由通知
　平成１２年１２月１９日　　　特許異議意見書及び訂正請求書
　
２．訂正の可否についての判断
２−１．訂正事項
　【訂正事項ａ】
　特許請求の範囲の「上記スイッチ手段よりの計測開始の指令に応答して、指針のステップ駆動を開始し、１／１０秒を複数ステップで駆動する指針駆動手段と、」を、
　「上記スイッチ手段よりの計測開始の指令に応答して、指針のステップ駆動を開始し、１／１０秒を間隔が一定の複数のステップで駆動する指針駆動手段と、」と訂正する。
　【訂正事項ｂ】
　明細書第３頁第１行〜第６行目の「［発明の要点]」の欄を、
　「［発明の要点］
　本発明は、上記目的を達成するために、指針を、１／１０秒を等間隔の複数のステップで駆動すると共に計測停止指令があったときには、指針を数字目盛が設けられている１／１０秒の位置まで駆動した上で停止するようにしたことを要旨とする。」と訂正する。
　【訂正事項ｃ】
　明細書第２７頁第１７行〜第２８頁第６行目の「［発明の効果］」の欄を、
「［発明の効果］
　本発明は以上詳述したように、１／１０秒を等間隔の複数のステップで駆動すると共に計測停止指令があったときは、数字目盛が設けられている１／１０秒の位置まで駆動した上で停止するものであるから、指針の運針が滑らかで、かつ計測停止時の値が読み取り易い指針式計測装置の提供を可能とする。」と訂正する。
　
２−２．訂正の可否
　【訂正事項ａ】
　この訂正は、特許請求の範囲に記載された「１／１０秒を複数ステップで駆動」を「１／１０秒を間隔が一定の複数ステップで駆動」と限定するものであり、特許請求の範囲の減縮を目的とするものである。
　また、このことは、明細書第２０頁第１行〜第３行に「すなわち、１／１０秒毎に、１／３０秒に対応した運針を３回だけ行っていくことになる。」と記載していることからみて、新規事項の追加には当たらない。
　しかも、実質上特許請求の範囲を拡張し、又は変更するものではない。
　
　【訂正事項ｂ】、【訂正事項ｃ】
　これらの訂正は、上記【訂正事項ａ】の訂正に伴い、詳細な説明の記載を、特許請求の範囲の記載と整合をとるための訂正であって、明りょうでない記載の釈明を目的としたものである。
　また、その訂正内容は願書に添付した明細書に記載されているから、新規事項の追加には当たらない。
　しかも、実質上特許請求の範囲を拡張し、又は変更するものではない。
　
２−３．むすび
　したがって、上記訂正は、特許法等の一部を改正する法律（平成６年法律第１１６号）附則第６条第１項の規定によりなお従前の例によるとされる、特許法第１２０条の４第３項で準用する平成６年法律第１１６号による改正前の第１２６条第１項ただし書き及び第２項の規定に適合するので、当該訂正を認める。
　
３．特許異議申立てについて
３−１．特許異議申立ての概要
　特許異議申立人は、申立ての証拠として甲第１号証（当審が取消理由通知において刊行物１として引用）及び甲第２号証（当審が取消理由通知において刊行物２として引用）を提出し、本件特許の請求項１に係る発明は、本件出願前に頒布された甲第１号証あるいは甲第２号証に記載された発明に基づいて当業者が容易に発明をすることができたものであり、特許法第２９条第２項の規定に違反して特許された旨を主張している。
　
３−２．本件発明
　本件特許第２９７９０９１号の請求項１に係る発明（以下本件発明１とする。）は、訂正後の明細書及び図面の記載から見て、その訂正明細書の特許請求の範囲の請求項１に記載された下記の事項により特定されるとおりのものである。
　「１／１０秒を複数ステップで移動する指針と、この指針の１／１０秒間隔の位置に対応して設けられた複数の数字目盛と、計測開始および計測停止の指令を発生するスイッチ手段と、上記スイッチ手段よりの計測開始の指令に応答して、指針のステップ駆動を開始し、１／１０秒を間隔が一定の複数のステップで駆動する指針駆動手段と、上記スイッチ手段によりの計測停止の指令に応答して、上記指針を１／１０秒単位の位置まで駆動して停止する停止手段と、を備えることを特徴とする指針式計測装置。」
　
３−３．証拠の開示
　甲第１号証：特開平１−１４００８７号公報
　甲第１号証には、
「４はスイッチ回路であり．スタート・ストップスイッチ４１、チャタリング防止回路４２とトグルタイプ−フリッブフロップ４３（Ｔ入力端子への立ち上がり信号にて動作：以下ＴーＦＦとする）より構成される。スタート・ストップスイッチ４１は外部操作部材に連動しており、クロノのスタート操作及びストップ操作をするごとにスタート・ストップ信号Ｐ４１を出力する。チャタリング防止回路４２は前記スタ−ト・ストップ信号Ｐ４１を入力とし、スタート・ストップスイッチ４１のメカ的なチャタリングを排除したワンショット信号Ｐ４２をクロノのスタート操作及びストップ操作ごとに出力する。Ｔ−ＦＦ４３のＴ入力端子には前記ワンショット信号Ｐ４２が入力され、Ｑ出力端子からはクロノ・ストップ状態で”Ｌ”レベルの、またクロノ・スタート状態で”Ｈ”レベルのスイッチ信号Ｐ４が出力される。」（公報第３頁左上欄第１５行〜右上欄第１１行）、
「３０はクロノ用回路であり、クロノ用分周回路３とＩＮＶ３１とデータ・タイプ・フリップフロップ３２（以下Ｄ−ＦＦ）より構成される。クロノ用分周回路３は、クロノ用の基準を作るために複数段の分周期より構成されている。前記クロノ用分周回路３の入力端子Ｉには前記時間基準源１からの時間基準信号Ｐ１が入力され、リセット端子Ｒは前記Ｄ−ＦＦ３２からのクロノ用分周許可信号Ｐ３２により制御される。すなわち、クロノ・ストップ状態では”Ｈ”レベルのクロノ用分周許可信号Ｐ３２に基づき分周器はリセットされて分周動作は行われずにクロノ用分周信号Ｐ３と１６Ｈｚ分周信号Ｐ３４の出力は停止し、クロノ・スタート状態では”Ｌ”レベルのクロノ用分周許可信号Ｐ３２に基づき、分周動作が行われ、クロノ秒用、クロノ分用、クロノ１／１０秒用、クロノ時用のパルスの周期及びパルス幅を作り出すためのクロノ用分周信号Ｐ３の信号群及び１６Ｈｚ分周信号Ｐ３４は出力する。」（公報第３頁右上欄第１４行〜左下欄第１１行）、
「１４はクロノ１／１０秒信号発生回路であり、クロノ・スタート状態では前記クロノ用分周回路３からの所定のクロノ用分周信号Ｐ３に基づき１０Ｈｚのクロノ１／１０秒用のクロノ１／１０ 秒パルスＰ１４を出力する。」（公報第３頁右下欄第１９行〜第４頁左上欄第３行）、
「クロノ１／１０秒及びクロノ時表示用の切換針１０１が取り付けられている。」（公報第６頁右下欄第１９行〜第２０行）、
「文字板１００ の周辺部には、一番外側にクロノ１／１０秒の単位を読み取るために必要な記号であるクロノ１／１０秒用数字１０２が配され、その内側にクロノ時の単位を読み取るために必要な記号であるクロノ時用数字１０３が配され、その内側にクロノ１／１０秒用の目盛であるクロノ１／１０秒用目盛１０４が前記クロノ１／１０秒用数字１０２の位置に合わせて配され、又、クロノ時用の目盛であるクロノ時用目盛１０５が前記クロノ時用数字１０３の位置に合わせて配されている。」（公報第７頁左上欄第２行〜第１１行）、
「８は駆動制御回略であり、入力端子Ｇには前記クロノ用分周回路３からのクロノ用分周信号Ｐ３の−部である１２８Ｈｚ分周信号Ｐ３３が入力され、入力端子Ｅには前記クロノ１／１０秒信号発生回路１４からのクロノ１／１０秒パルスＰ１４が入力され、入力端子Ｆには前記クロノ時信号発生回路１５からのクロノ時パルスＰ１５が入力され、さらに入力端子Ｈに前記モード制御回路５からのモード切換信号Ｐ５が入力される。そして、入力端子Ｈへのモ−ド切換信号Ｐ５の制御に基づき、前記機能の−方が選択されているとき前記切換針１０１が他方の機能に対応する目盛又は記号の位置に長時間停止することのない様に不等間隔の駆動制御信号Ｐ８を出力端子Ｑから出力する。２６は第４駆動回路であり、前記駆動制御信号Ｐ８に基づきクロノ１／１０秒及びクロノ時駆動用の駆動信号Ｐ２６を出力する。該駆動信号Ｐ２６は第４のモータ２７に供給される事により、第４のモータ２７に連動する前記切換針１０１を駆動する。」（公報第７頁右上欄第８行〜左下欄第７行）、
「出力端子Ｑからは機能の一方が選択されているとき前記切換針１０１が他方の機能に対応する目盛又は記号（本実施例では数字）の位置に長時聞停止することのない様にするための位置補正パルスＰ８３を出力する。」（公報第８頁右上欄第６行〜第１１行）、
「切換針１０１は８ｍｓの間しかクロノ時用数字１０３の”１”の位置に停止しておらず人間の目には切換針１０１がクロノ１／１０秒用数字の”０”から”０．１”に一遍に移動したように見える。」（公報第１０頁右上欄第６行〜第１０行）、及び
「また、いずれのモ−ドにおいても外部操作部材によってクロノ・ストップ操作ができ、その操作により前記スイッチ信号Ｐ４は”Ｈ”レベルから”Ｌ”レベルとなり前記１６Ｈｚ分周信号Ｐ３４のタイミングに従いＤーＦＦ３２は”Ｈ”レベルとなりクロノ用分周回路３が分周動作を停止するので前記位置補正パルスＰ８３が出力されてからクロノ・ストップとなる様になっており、それによつて各々のモードでクロノ・ストップがされても切換針１０１の各々のモード用の目盛又は数字の位置で停止し正しいクロノ計測時間が記録される。」（公報第１２頁右下欄第９行〜第２０行）
　が図面とともに記載されている。
　これらのことから、甲第１号証には、以下の発明が記載されている。
「１／１０秒を複数ステップ（２ステップ）で移動する指針（切換針１０１）と、この指針（切換針１０１）の１／１０秒間隔の位置に対応して設けられた複数の数字目盛（目盛１０４、目盛１０５）と、計測開始および計測停止の指令を発生するスイッチ手段（スタート・ストップスイッチ４１）と、上記スイッチ手段よりの計測開始の指令に応答して、指針のステップ駆動を開始し、１／１０秒を複数のステップで駆動する指針駆動手段（第４駆動回路２６）と、上記スイッチ手段によりの計測停止の指令に応答して、上記指針を１／１０秒単位の位置まで駆動（位置補正パルスＰ８３）して停止する停止手段と、を備えることを特徴とする指針式計測装置。」
　
　甲第２号証：実願昭５３−１７９０１５号（実開昭５５−１００１９４号）　　　　　　　のマイクロフィルム
　甲第２号証には、
「本考案は電子式ストップウオッチ、クロノグラフ、タイマー等において、経過時間等を指針でアナログ的に表示する構造に関するものである。」（明細書第１頁第１１行〜第１３行）、
「そこで本考案は測定精度を必要に応じて選択できるようにしたものである。」（明細書第２頁第１、２行）、
「第２図ーＩにおいて、モーター駆動周波数に１Ｈｚまたは３０Ｈｚを選択した場合の指針の動きについて説明する。まず１Ｈｚのパルスモーターを駆動した場合、読取目盛は表示面外側で示される。指針ａは１Ｈｚのパルスで駆動され１周６０秒の目盛となる。」（明細書第２頁第１５行〜第２０行）、及び
「次により精度を必要とする場合スイッチを３０Ｈｚ側に入れれば３０Ｈｚのパルスをモータを駆動するようになる。この場合読取目盛は表示面内側になる。第２図ーＩにおいて指針ａは１パルス１／６０回転するため３０Ｈｚでは１秒間に１／２回転するつまり指針ａは１周２秒の速度で回転する。」（明細書第３頁第１４行〜第１９行）
　が図面とともに記載されている。
　これらのことから、甲第２号証には、クロノグラフ等の指針式計測装置において測定精度を必要とした場合には、３０Ｈｚのパルスでモータで指針ａを駆動することにより、指針ａは表示面内側の１／１０秒の目盛の間を一定の複数のステップ（３ステップ）で駆動することが記載されている。
　
３−４．対比・判断
　本件発明１と、上記甲第１号証、甲第２号証に記載された発明とを比較してみると、本件発明１においては「指針の運針が滑らかでかつ計測停止時、指針は常に文字盤上のいずれかの数字目盛りを指す」（明細書発明の目的の欄）ことを目的として、「１／１０秒を間隔が一定の複数のステップで駆動する指針駆動手段と、上記スイッチ手段によりの計測停止の指令に応答して、上記指針を１／１０秒単位の位置まで駆動して停止する停止手段」を有しているのに対して、甲第１号証及び甲第２号証に記載された発明ではそのような構成になっていない。
　すなわち、甲第１号証に記載された発明は、本件発明１の技術的事項である「１／１０秒を間隔が一定の複数のステップで駆動する指針駆動手段」を備えていない。
　また、甲第２号証に記載された発明は、本件発明１の技術的事項である「計測停止の指令に応答して、上記指針を１／１０秒単位の位置まで駆動して停止する停止手段」を備えていない。
　
　次に甲第１号証に記載された発明と甲第２号証に記載された発明とを組み合わせて本件発明１のように構成することが容易であるか否かについて検討する。
　甲第１号証に記載された発明は、クロノ１／１０秒の計測時には「切換針１０１は８ｍｓの間しかクロノ時用数字１０３の”１”の位置に停止しておらず人間の目には切換針１０１がクロノ１／１０秒用数字の”０”から”０．１”に一遍に移動したように見える。」（公報第１０頁右上欄第６行〜第１０行）と記載されていることから、共通の切換針１０１を用いて、クロノ１／１０秒とクロノ時を誤り無く容易に読み取れる事を目的に、計測に使用しない目盛上では切換針１０１が留まらないようにした事を解決手段とした発明である。
　また、甲第２号証に記載された発明は、クロノグラフ等において測定精度を必要に応じて選択できるようにすることを目的に、測定精度に対応した別々の目盛を設ける事を解決手段にしたものである。
　したがって、甲第１号証、甲第２号証に記載された発明は、いずれも、本件発明１のように、「指針の運針が滑らかでかつ計測停止時、指針は常に文字盤上のいずれかの数字目盛りを指す」（明細書発明の目的の欄）ことを目的としたものではないばかりか、また甲第１号証及び甲第２号証の発明はそれぞれ異なる目的を持ったものである以上、甲第２号証に１／１０秒の目盛の間を一定の複数のステップで駆動することが記載されているとしても、当該技術を甲第１号証に記載された発明に組み合わせて、本件発明１を構成する動機付けを欠くものであり、当業者が容易になしえたとすることはできない。
　
　そして、本件発明１は、請求項１に記載の構成により、明細書記載の効果を奏するものである。
　よって、本件発明１は甲第１号証及び甲第２号証に記載された発明に基づいて当業者が容易に発明をすることができたものとはいえない。
　
３−５．むすび
　以上のとおりであるから、特許異議申立ての理由及び証拠によっては本件発明１に係る特許を取り消すことができない。
　また、他に本件発明１に係る特許を取り消すべき理由を発見しない。
　よって、結論のとおり決定する。
【異議決定日】
平成１３年１月２３日（２００１．１．２３）
【訂正の要旨】
　訂正の要旨
　【訂正事項ａ】
　特許請求の範囲の「上記スイッチ手段よりの計測開始の指令に応答して、指針のステップ駆動を開始し、１／１０秒を複数ステップで駆動する指針駆動手段と、」を、
　「上記スイッチ手段よりの計測開始の指令に応答して、指針のステップ駆動を開始し、１／１０秒を間隔が一定の複数のステップで駆動する指針駆動手段と、」と訂正する。
　【訂正事項ｂ】
　明細書第３頁第１行〜第６行目の「［発明の要点］」の欄を、
　「［発明の要点］
　本発明は、上記目的を達成するために、指針を、１／１０秒を等間隔の複数のステップで駆動すると共に計測停止指令があったときには、指針を数字目盛が設けられている１／１０秒の位置まで駆動した上で停止するようにしたことを要旨とする。」と訂正する。
　【訂正事項Ｃ】
　明細書第２７頁第１７行〜第２８頁第６行目の「［発明の効果］」の欄を、
「［発明の効果］
　本発明は以上詳述したように、１／１０秒を等間隔の複数のステップで駆動すると共に計測停止指令があったときは、数字目盛が設けられている１／１０秒の位置まで駆動した上で停止するものであるから、指針の運針が滑らかで、かつ計測停止時の値が読み取り易い指針式計測装置の提供を可能とする。」と訂正する。
（５４）【発明の名称】
指針式計測装置
（５７）【特許請求の範囲】
　１／１０秒を複数ステップで移動する指針と、
　この指針の１／１０秒間隔の位置に対応して設けられた複数の数字目盛と、
　計測開始および計測停止の指令を発生するスイッチ手段と、
　上記スイッチ手段よりの計測開始の指令に応答して、指針のステップ駆動を開始し、
１／１０秒を間隔が一定の複数のステップで
　上記スイッチ手段によりの計測停止の指令に応答して、上記指針を１／１０秒単位の位置まで駆動して停止する停止手段と、
　を備えることを特徴とする指針式計測装置。
【発明の詳細な説明】
　［発明の技術分野］
　本発明は、指針式計測装置に関する。
　［従来技術とその問題点］
　従来の指針式計測装置、例えばストップウォッチでは、１秒以下を示す小針の運針は、その文字盤の目盛間隔に相当する時間が経過する毎に、すなわち間欠的に行なわれ、見た目に運針に滑らかさがなくあまり良いものではなかった。
　このような問題を解決すべく、近年、上記目盛間隔に相当する時間より短い時間間隔で上記小針を運針するようにしたものが提供されている。しかし、この種のものでは、計測停止のタイミングによっては上記小針が上記目盛の中間部を指した状態で停止することがあり、このような場合には計測した時間の読み取りに際して、ある程度の煩しさが伴なうという問題がある。
　［発明の目的］
　本発明は、上述の如き事情に鑑みてなされたもので、指針の運針が滑らかで、かつ計測停止時、指針は常に文字盤上のいずれかの数字目盛りを指す指針式計測装置の提供を目的とする。
　［発明の要点］
　本発明は、上記目的を達成するために、指針を、
１／１０秒を等間隔の複数のステップで
　［実施例］
　以下、図面に示す一実施例に基づいて
本発明
構　成
　第１図は、本実施例の外観を示す。すなわち、時計ケース１の前面には指針表示部２が配されており、該指針表示部２の文字盤３上には時針４、分針５、小秒針６が設けられている。更に、上記文字盤３上小秒針６の周囲には、１目盛１秒で１周６０秒の秒計測目盛７および１目盛１／１０秒で１周２秒の１／１０秒計測目盛８が印刷表示されている。また、時計ケース１の側面には、スイッチＳ１〜Ｓ３が配設されている。
　第２図は、本実施例の回路構成を示すものであり、現在時刻を計時する計時回路部１０と、ストップウォッチとして利用するときに計測開始からの経過時間を計測するストップウォッチ回路部２０と、本実施例を時計として用いる際の時計モードとストップウォッチとして用いる際ストップウォッチモードの間でモード切換を行なうモード切換回路部３０と、時分針５２を駆動して現在時刻の時分の単位等を指針表示する時分針駆動回路部４０と、小秒針７２を駆動して現在時刻の秒の単位等を指針表示する小秒針駆動回路部６０とから構成されている。
　計時回路部１０において、発振回路１１は、常時、一定周波数の信号を発生し、それを分周回路１２に送出する回路である。分周回路１２は発振回路１１からの上記信号を分周して３２Ｈｚ信号、３０Ｈｚ信号、および１Ｈｚ信号を作り、それらを各回路部に送出する回路である。秒カウンタ１３は、分周回路１２からの１Ｈｚ信号を計数して、現在時刻の秒の単位を得て、これを小秒針駆動回路部６０に得ると共に、６０秒を計数する度にその計数値を０にし、キャリー信号を時分カウンタ１４および時分針駆動回路部４０に与える回路である。時分カウンタ１４は秒カウンタ１３からのキャリー信号を計数して、現在時刻の時分の単位を得、それを時分針駆動回路部４０に送出する回路である。
　ストップウォッチ回路部２０において、スイッチＳ１は、前述のストップウォッチモードで計測を開始又は停止する際に操作するスイッチであり、ワンショット回路２１はスイッチＳ１が操作される度にワンショット信号を送出する回路である。アンドゲート２２は後述のモード切換回路部３０からのストップウォッチモード指定信号ｍｓにより開成され、上記ワンショット回路２１からのワンショット信号をＴフリップフロップ２３に与える回路で、Ｔフリップフロップ２３は、アンドゲート２２を介して与えられる上記ワンショット信号を受けて、出力Ｑ１又は反転出力Ｑ１を交互に出力するフリップフロップである。また、アンドゲート２４は、上記出力Ｑ１により開成されて、計時回路部１０の分周回路１２からの３０Ｈｚ信号を３進カウンタ２７に送出する回路である。
　スイッチＳ２はストップウォッチモードで計測した経過時間をリセットする際に操作するスイッチである。ワンショット回路２５は、上記スイッチＳ２が操作される度に、ワンショット信号を送出する回路であり、アンドゲート２６は、モード切換回路部３０からのストップウォッチモード指定信号ｍｓおよびＴフリップフロップ２３の反転出力Ｑ１が共にＨレベルのときに開成し、ワンショット回路２５からのワンショット信号を３進カウンタ２７、１０進カウンタ２８ａ、秒分カウンタ２８ｂおよびモード切換回路部３０に送出する回路である。
　３進カウンタ２７は、アンドゲート２４を介して送られてくる３０Ｈｚ信号を計数する３進のカウンタで、計数値が３になる度に、すなわち１／１０秒毎にキャリー信号Ｃ１を送出すると共に、アンドゲート２６を介して送られてくるリセット信号Ｒを受けて計数値をクリアする。１０進カウンタ２８ａは、１／１０秒毎の上記キャリー信号Ｃ１を計数する１０進のカウンタで、計数値を３倍回路２８ｃに送出すると共に、計数値が１０になる度に、すなわち１秒毎にキャリー信号Ｃ２を秒分カウンタ２８ｂおよび時分針駆動回路部４０に送出し、更にアンドゲート２６を介して送られてくるリセット信号Ｒを受けて計数値をクリアする。秒分カウンタ２８ｂは上記キャリー信号Ｃ２を計数して、計測開始からの経過時間を得て、これを時分針駆動回路部４０に与えると共に得られた経過時間の秒の単位が奇数の場合に、加算指令信号ＡＤを３０加算回路２８ｄに送出し、更に、上記リセット信号Ｒを受けて上記経過時間をクリアする回路である。３倍回路２８ｃは、１０進カウンタ２８ａの計数値を３倍にして３０加算回路２８ｄに送出する回路で、３０加算回路２８ｄは、秒分カウンタ２８ｂから加算指令信号ＡＤが送られてきているときには、３倍回路２８ｃから送られてきた値に３０を加算した上でそれを小秒針駆動回路部６０に送出し、他方、上記加算指令信号ＡＤが送られてきていないときは、３倍回路２８ｃから送られてした値を小秒針駆動回路部６０に送出する回路である。すなわち、３倍回路２８ｃおよび３０加算回路２８ｄは第１図の１／１０秒計測目盛８で示される値を秒計測目盛７で示される値に変換する回路である。駆動パルス３発出力回路２９は、１／１０秒毎に送られてくる上記キャリー信号Ｃ１を受け、その都度、１／３０秒周期のパルス信号を３発だけ発生し、これを小秒針駆動回路部６０に送出する回路である。
　モード切換回路部３０において、スイッチＳ３は、時計モードとストップウォッチモードの間でモード切換を行なうのに用いるスイッチである。ワンショット回路３１はスイッチＳ３が操作される度にワンショット信号を送出する回路である。Ｔフリップフロップ３２は、ワンショット回路３１からのワンショット信号を受けて交互に出力Ｑ２又は反転出力Ｑ２をそれぞれストップウオッチモード指定信号ｍｓ、時計モード指定信号ｍｃとして送出するフリップフロップである。オアゲート３３はワンショット回路３１からのワンショット信号およびアンドゲート２６を介して送られてくるワンショット信号をディレー回路３４に送出する回路で、ディレー回路３４は送られてきたワンショット信号に所定の遅延を与えた上で、時分針駆動回路部４０および小秒針駆動回路部６０に送出する回路である。
　時分針駆動回路部４０において、アンドゲート４１ａは時計モード指定信号ｍｃにより開成されて、時分カウンタ１４の現在時刻をオアゲート４２を介して一致検出回路４３に送出する回路である。またアンドゲート４１ｂはストップウォッチモード指定信号ｍｓにより開成されて、秒分カウンタ２８ｂの経過時間をオアゲート４２を介して一致検出回路４３に送出する回路である。一致検出回路４３は、時分針位置記憶回路５３から時分針５２が指している位置を取込み、これと、オアゲート４２を介して送られてきた時間データ（現在時刻又は経過時間）とから、時分針５２が、その時点に送られてきている時間データを指すに至っているかを調べ、該時間データを指しているときにＨレベルの信号を送出する回路である。インバータ４４は、一致検出回路４３からの上記信号を反転してアンドゲート４５に与える回路であり、アンドゲート４５は、インバータ４４からの上記信号によって開成されて、ディレー回路３４で所定の遅延が与えられた上で送られてくるワンショット信号をＲＳフリップフロップ４６にセット信号として与える回路である。ＲＳフリップフロップ４６は上記セット信号を受けてセット状態となり出力Ｑ３を送出し、一致検出回路４３からの信号をリセット信号として受取り、リセット状態となり反転出力Ｑ３を送出する回路である。アンドゲート４７は、上記出力Ｑ３により開成され、分周回路１２からの３２Ｈｚ信号を、オアゲート４８を介してモータ駆動回路４９および時分針位置記憶回路５３に与える回路である。
　アンドゲート５４ａは、時計モード指定信号ｍｃおよび反転出力Ｑ３が共にＨレベルのときに開成して秒カウンタ１３から６０秒毎に（すなわち１分毎に）送出されるキャリー信号をアンドゲート４８を介してモータ駆動回路４９および時分針位置記憶回路５３に与える回路である。アンドゲート５４ｂは、ストップウォッチモード指定信号ｍｓおよび反転出力Ｑ３が共にＨレベルのときに開成して、１秒毎のキャリー信号Ｃ２をオアゲート４８を介してモータ駆動回路４９および時分針位置記憶回路５３に与える回路である。モータ駆動回路４９は、オアゲート４８を介して送られてくる信号を得てステップモータ５０を駆動する回路である。ステップモータ５０はモータ駆動回路４９に駆動されてトルクを輪列機構５１を介して時分針５２に与えて、これを運針する。また、時分針位置記憶回路５３は、モータ駆動回路４９に与えられる信号の全てを取込み、これに基づき、時分針５２が指す位置を得て、これを記憶する回路である。以上の如き構成により、時分針５２は、オアゲート４２を介して一致検出回路４３に送られてきた時間データを指針表示するまで早送りで運針されることになる。
　次に、小秒針駆動回路部６０について説明するが、これは概ね、時分針駆動回路部４０と同一構成となっている。すなわち、アンドゲート６１ａおよび６１ｂは、それぞれ時計モード指定信号ｍｃおよびストップウォッチモード指定信号ｍｓにより開成され、秒カウンタ１３の秒データ（現在時刻の秒の単位）および３０加算回路２８ｄからのデータをオアゲート６２を介して一致検出回路６３に与える回路である。一致検出回路６３は、小秒針位置記憶回路７３から小秒針７２が指している位置を取込み、これと、オアゲート４２を介して送られてきた時間データとから、小秒針７２が、その時点に送られてきている時間データを指すに至っているかを調べ、該時間データを指しているときにＨレベルの信号を送出する回路である。インバータ６４は一致検出回路６３からの上記信号を反転してアンドゲート６５に与える回路であり、アンドゲート６５はインバータ６４からの上記信号によって開成し、ディレー回路３４で所定の遅延が与えられた上で送られてくるワンショット信号をＲＳフリップフロップ６６にセット信号として与える回路である。ＲＳフリップフロップ６６は、上記セット信号を受けてセット状態となり、出力Ｑ４を送出し、一致検出回路６３からの信号をリセット信号として受取り、リセット状態となり、反転出力Ｑ４を送出する回路である。アンドゲート６７は上記出力Ｑ４により開成され、分周回路１２からの３２Ｈｚ信号をオアゲート６８を介してモータ駆動回路６９および小秒針位置記憶回路７３に与える回路である。
　アンドゲート７４ａは時計モード指定信号ｍｃおよび反転出力Ｑ４が共にＨレベルのときに開成して分周回路１２からの１Ｈｚ信号をオアゲート６８を介してモータ駆動回路６９および小秒針位置記憶回路７３に送出する回路である。アンドゲート７４ｂは、ストップウォッチモード指定信号ｍｓおよび反転出力Ｑ４が共にＨレベルのときに開成して、駆動パルス３発出力回路２９からパルス信号をオアゲート６８を介してモータ駆動回路６９および小秒針位置記憶回路７３に与える回路である。モータ駆動回路６９は、オアゲート６８を介して送られてくる信号を得てステップモータ７０を駆動する回路である。ステップモータ７０はモータ駆動回路６９に駆動されてトルクを輪列機構７１を介して小秒針７２に与えて、これを運針する。また小秒針位置記憶回路７３はモータ駆動回路６９に与えられる信号の全てを取込み、これに基づき小秒針７２が指す位置を得てこれを前述の秒計測目盛７による値として記憶する回路である。以上の如き構成により、小秒針７２はオアゲート６２を介して送られてくる時間データを指針表示するまで、早送りで運針されることになる。
動　作
　次に、以上の如くに構成された本実施例の動作を説明する。
（１）時計モードでの動作
　この場合、モード切換回路部３０のＴフリップフロップ３２からは反転出力Ｑ２すなわち時計モード指定信号ｍｃが送出されている。また、時分針駆動回路部４０のＲＳフリップフロップ４６からは反転出力Ｑ３が送出されている。従って、これらによってアンドゲート５４ａが開成され、秒カウンタ１３からの１分毎の信号がオアゲート４８を介してモータ駆動回路４９に与えられ、時分針５２は、１分毎に運針され、現在時刻の分の単位以上を指針表示していく。なお、この際、時分針位置記憶回路５３はモータ駆動回路４９に与えられる信号と同一信号を取込み、時分針５２が指している位置を得て、これを記憶していく。
　また、上記時計モード指定信号ｍｃは小秒針駆動回路部６０のアンドゲート７４ａにも与えられ、該アンドゲート７４ａには、このとき、ＲＳフリップフロップ６６から反転出力Ｑ４も与えられているので、該アンドゲート７４ａは開成し、計時回路部１０の分周回路１２からの１Ｈｚ信号が、オアゲート６８を介してモータ駆動回路６９に与えられ、小秒針７２は現在時刻の秒の単位を指針表示していく。なおこの場合、小秒針位置記憶回路７３は、上記時分針位置記憶回路５３と同様、小秒針７２が指している位置を得て、それを記憶していく。
　以上の如くして、例えば、いま、１０時１０分０秒になったとすると、指針表示部２の表示は、第３図（ａ）の如くになる。
（２）時計モードからストップウオッチモードヘのモード切換時の動作
　この場合、ステップＳ３を操作するが、この操作により、ワンショット回路３１から、ワンショット信号が送出され、これは、Ｔフリップフロップ３２に与えられ、Ｔフリップフロップ３２からは反転出力Ｑ２に代って出力Ｑ２すなわちストップウォッチモード指定信号ｍｓが送出されるようになる。このストップウォッチモード指定信号ｍｓにより、時分針駆動回路部４０ではアンドゲート４１ｂが開成し、秒分カウンタ２８ｂの経過時間（この場合、未だ計測開始前であるので０分０秒となっている）がオアゲート４２を介して一致検出回路４３に与えられる。これにより、時分針５２は、上記０分０秒を指すまで早送りで運針される。また、ストップウォッチ指定信号ｍｓは小秒針駆動回路部６０のアンドゲート６１ｂにも与えられ、該アンドゲート６１ｂが開成し、３０加算回路２８ｄの値（計測開始前であるので０となっている）が、オアゲート６２を介して一致検出回路６３に与えられ、小秒針７２は０を指すまで早送りで運針される。以上の動作により、時分針５２、小秒針７２は０時０分０秒を指すことになる。
（３）ストップウォッチモードでの計測開始時の動作
　上述の如くしてストップウォッチモードとした上で、計測の開始に当っては、スイッチＳ１を操作する。この場合、ワンショット回路２１からのワンショット信号は、ストップウォッチモード指定信号ｍｓにより開成されているアンドゲード２２を介してＴフリップフロップ２３に与えられ、Ｔフリップフロップ２３は出力Ｑ１を送出しだす（第５図（ａ）参照）。この出力Ｑ１によりアンドゲート２４が開成して３進カウンタ２７に分周回路１２からの３０Ｈｚ信号、すなわち第５図（ｂ）に示す如き信号が得られるようになる。３進カウンタ２７はこれを計数し、第５図（ｃ）に示す如き１／１０秒毎のキャリー信号Ｃ１すなわち１０Ｈｚ信号を送出し、１０進カウンタ２８ａはこれを計数して１秒毎のキャリー信号Ｃ２すなわち１Ｈｚ信号を秒分カウンタ２８ｂおよびアンドゲート５４ｂに送出する。そして上記秒分カウンタ２８ｂは上記１Ｈｚ信号を計数して計測開始からの経過時間を得る。また、上記アンドゲート５４ｂには、このときストップウォッチモード指定信号ｍｓと反転出力Ｑ３が与えられており、該アンドゲート５４ｂは開成しており上記１Ｈｚ信号はオアゲート４８を介してモータ駆動回路４９に与えられる。これにより、時分針５２は１秒毎に運針を行ない、時針で上記経過時間の分の単位を表わし、分針で秒の単位を表わす。
　また、３進カウンタ２７からの上記キャリー信号Ｃ１（第５図（ｃ）参照）は駆動パルス３発出力回路２９にも与えられ、この駆動パルス３発出力回路２９は、第５図（ｄ）に示すように上記キャリー信号Ｃ１を１発、与えられる度に、１／３０秒間隔で３発のパルス信号をアンドゲート７４ｂに与える。このとき該アンドゲート７４ｂはストップウォッチモード指定信号ｍｓにより開成しているので、上記駆動パルス３発出力回路２９からのパルス信号は、オアゲート６８を介してモータ駆動回路６９に与えられ、小秒針７２は上記駆動パルス３発出力回路２９からのパルス信号がある度に１／３０秒に対応した運針を行なっていく。すなわち、１／１０秒毎に、１／３０秒に対応した運針を３回だけ行なっていくことになる。そして、例えば、計測を開始してから２分４０秒３が経過したときには、指針表示部２の表示は第３図（ｂ）の如くになる。
（４）経過時間の計測中に現在時刻を確認する場合の動作
　上述の如くして、ストップウォッチモードでの計測を開始した後、現在時刻を確認するには、スイッチＳ３を操作して時計モードに戻す。この場合、ワンショット回路３１からのワンショット信号により、Ｔフリップフロップ３２からはストップウォッチモード指定信号ｍｓに代って時計モード指定信号ｍｃが送出される。そして時分針駆動回路部４０においては、時計モード指定信号ｍｃにより、アンドゲート４１ａが開成され、時分カウンタ１４の現在時刻の時分の単位が、オアゲート４２を介して、一致検出回路４２に与えられ、一致検出回路４３の一致検出信号はＬレベルとなり、これがインバータ４４で反転されアンドゲート４５に与えられ、該アンドゲート４５は開成する。また、上述のワンショット回路３１からのワンショット信号はＴフリップフロップ３２に与えられるだけでなくオアゲート３３を介して、ディレー回路３４で所定の遅延を与えられて、上記開成しているアンドゲート４５を介してＲＳフリップフロップ４６にセット信号として与えられる。そして該ＲＳフリップフロップ４６からの出力Ｑ３によりアンドゲード４７が開成し３２Ｈｚ信号が早送り信号としてオアゲート４８を介してモータ駆動回路４９および時分針位置記憶回路５３に与えられる。これにより時分針５２は上記現在時刻の時分の単位を指すまで早送りで運針されることになる。そして時分針５２が現在時刻の時分の単位を表示するに至ったときには、一致検出回路４３からの一致検出信号によりＲＳフリップフロップ４６はリセット状態となり、反転出力Ｑ３が送出され、これと時計モード指定信号ｍｃとにより、アンドゲート５４ａが開成し、秒カウンタ１３からの１分毎の信号がオアゲート４８を介してモータ駆動回路４９に与えられ、１分毎の運針が行なわれていく。また、小秒針駆動回路部６０においても上記時分針駆動回路部４０におけると、概ね、同様の動作が行なわれる。すなわち、小秒針７２は秒カウンタ１３の現在時刻の秒の単位を表示するまで早送りで運針され、その後は、開成されているアンドゲート７４ａおよびオアゲート６８を介して分周回路１２からの１Ｈｚ信号がモータ駆動回路６９に与えられ、小秒針７２は１秒毎の運針を行なっていく。
　以上の如くして、時分針５２、小秒針７２により現在時刻が指針表示されるので、これにより現在時刻を確認できることになるが、この場合、３進カウンタ２７にはアンドゲート２４を介して３０Ｈｚ信号が継続して与えられるので、１０進カウンタ２８ａ、秒分カウンタ２８ｂは経過時間を計測し続けることになる。
　また上記の如くして、現在時刻を確認した後に、再度、経過時間を指針表示するには、更に、スイッチＳ３を操作する。これによりＴフリップフロップ３２からストップウォッチモード指定信号ｍｓが送出され、時分針駆動回路部４０ではアンドゲート４１ｂが開成し、秒分カウンタ２８ｂの経過時間の分秒の単位がオアゲート４２を介して一致検出回路４３に与えられる。そして、前述と同様にして、時分針５２は、上記経過時間の分秒の単位を指すまで早送りで運針され、その後は、開成されている。アンドゲート５４ｂを介して１秒毎のキャリー信号Ｃ２がオアゲート４８を介してモータ駆動回路４９に与えられ１秒毎の運針が行なわれていく。また小秒針駆動回路部６０においても、概ね同様の動作が行なわれ、３０加算回路２８ｄの値、すなわち経過時間の秒以下の単位を、秒計測目盛７（第１図参照）で表現したときの値をアンドゲート６１ａ、オアゲート６２を介して一致検出回路６３に与えて小秒針７２を早送り運針し、上記経過時間の秒以下の単位を指針表示する。そして小秒針７２が上記経過時間の秒以下の単位を表示するに至った後は、開成しているアンドゲート７４ｂを介して駆動パルス３発出力回路２９からのパルス信号をオアゲート６８を介してモータ駆動回路６９に与えて、前述の如く、小秒針７２を１／３０秒毎に運針していくことになる。
　以上の如くして、時分針５２、小秒針７２はストップウォッチモードでの表示に戻る。
（５）計測停止時の動作
　ストップウォッチモードでの経過時間の計測を停止するにはスイッチＳ１を操作する。この場合、ワンショット回路２１から送出されるワンショット信号は、ストップウォッチモード指定信号ｍｓにより開成されているアンドゲート２２を介してＴフリップフロップ２３に与えられ、Ｔフリップフロップ２３は出力Ｑ１の送出を停止し、反転出力Ｑ１を送出する。出力Ｑ１の送出が停止されたことにより、アンドゲート２４が閉成し、３進カウンタ２７に３０Ｈｚ信号が与えられなくなり、３進カウンタ２７、１０進カウンタ２８ａ、秒分カウンタ２８ｂでの計数動作が停止するが、駆動パルス３発出力回路２９は以後も動作しその直前に送出されたキャリー信号Ｃ１に対応する３発のパルス信号中の未発生分があるときは、それを発生する。例えばいま、第４図（ａ）に示すように小秒針６が（３／１０＋１／３０）秒を指した瞬間にスイッチＳ１を操作して計測を停止したとすると、３進カウンタ２７の計数は停止し、新たなキャリー信号Ｃ１が発生されることはないが、駆動パルス３発出力回路２９からは、未発生分のパルス信号２つをそれぞれ１／３０秒後および２／３０秒後に発生する（第５図参照）。これにより、小秒針７２は、１／３０秒に対応する運針を更に２回行ない、第４図（ｂ）に示す如く、１／１０秒を単位とする１／１０秒計測目盛８を指すことになる。すなわち小秒針６は、１／１０秒計測目盛８の途中を指して停止することはないことになる。
　また、１０進カウンタ２８ａの計数停止により、キャリー信号Ｃ２も送出されなくなり、該キャリー信号Ｃ２がアンドゲート５４ｂ、オアゲート４８を介してモータ駆動回路４９に与えられることもなくなり、時分針５２は、上記計測停止操作が行なわれたときの経過時間の分秒の単位を指して停止する。
（６）計測した経過時間をクリアするときの動作
　上述の如くして計測した経過時間をクリアするにはスイッチＳ２を操作する。このとき、ワンショット回路２５からのワンショット信号は、反転出力Ｑ１とストップウォッチモード指定信号ｍｓにより開成されているアンドゲート２６を介して３進カウンタ２７、１０進カウンタ２８ａ、秒分カウンタ２８ｂヘリセット信号Ｒとして与えられ、計測した経過時間はクリアされる。これにより、前述と同様にして、時分針５２、小秒針７２は０を指すまで早送りされる。
　また、上述の如くして計測した経過時間をクリアした後、時計モードにして時分針５２、小秒針７２により現在時刻を表示するには、スイッチＳ３を操作するが、この場合はストップウォッチモードで経過時間の計測の途中で現在時刻を確認すべく時計モードにしたときと同様に、時分針５２は時分カウンタ１４の現在時刻の時分の単位を指針表示するまで早送りで運針され、小秒針７２は秒カウンタ１３の現在時刻の秒の単位を指針表示するまで早送りで運針される。然る後、時分針５２は１分毎の運針を開始し、小秒針７２は１秒毎の運針を開始する。
　なお、この発明は上記実施例に限定されず、この発明を逸脱しない範囲内において種々変形応用可能である。例えば、本実施例は本発明のストップウォッチ機能を有する電子腕時計に適用したものであるがこれに限定されず、本発明はタイマ等の他の計測装置にも適用できることは勿論である。
　［発明の効果］
　本発明は以上詳述したように、
１／１０秒を等間隔の複数のステップで
【図面の簡単な説明】
　第１図は本発明の一実施例の外観を示す図、第２図は上記実施例の回路構成を示す図、第３図は各種スイッチの操作に伴なう指針表示の変遷を示す図、第４図はストップウォッチモードでの計測停止時の小秒針の動作を示す図、第５図は小秒針駆動のタイムチャートである。
　１……時計ケース、２……指針表示部、３……文字盤、４……時針、５……分針、６……小秒針、７……秒計測目盛、８……１／１０秒計測目盛、１０……計時回路部、１１……発振回路、１２……分周回路、１３……秒カウンタ、１４……時分カウンタ、２０……ストップウォッチ回路部、２７……３進カウンタ、２８ａ……１０進カウンタ、２８ｂ……秒分カウンタ、２８ｃ……３倍回路、２８ｄ……３０加算回路、２９……駆動パルス３発出力回路、３０……モード選択回路、３４……ディレー回路、４０……時分針駆動回路部、４３……一致検出回路、４９、６９……モータ駆動回路、５２……時分針、５３……時分針位置記憶回路、６０……小秒針駆動回路部、７２……小秒針、７３……小秒針位置記憶回路、ＡＤ……加算指令信号、ｍｓ……ストップウォッチモード指定信号、ｍｃ……時計モード指定信号。